(57)【特許請求の範囲】
【請求項１】
電話回線に接続されているとともに、呼出し機能を備える外部通話装置および前記電話回線を通じて音声信号を送受することにより通話を行う内部通話装置がそれぞれ接続された通話用端末装置であって、
前記外部通話装置から呼出操作に基づく呼出信号が入力されると、呼出音信号を発生させる呼出音発生手段と、
前記呼出音発生手段により発生された呼出音信号と、前記内部通話装置に伝送される音声信号とを混合する信号混合手段と、
前記内部通話装置が通話中である否かを判別する判別手段と、
前記判別手段により前記内部通話装置が通話中であると判別されているときに、前記外部通話装置から呼出信号が入力されると、前記呼出音発生手段によって発生された呼出音信号を呼出音を１回報知するための予め定められた基準時間だけ前記信号混合手段に入力させる混合制御手段と、
を備えることを特徴とする通話用端末装置。
【請求項２】
電話回線に接続されているとともに、ユーザの呼出操作に基づき呼出信号を発生する呼出し機能を備える外部通話装置および前記電話回線を通じて音声信号を送受することにより通話を行う内部通話装置がそれぞれ接続された通話用端末装置であって、
前記外部通話装置から送られた呼出音信号と、前記内部通話装置に伝送される音声信号とを混合する信号混合手段と、
前記内部通話装置が通話中である否かを判別する判別手段と、
前記判別手段により前記内部通話装置が通話中であると判別されているときに、前記外部通話装置から呼出音信号が送られると、その呼出音信号を呼出音を１回報知するための予め定められた基準時間だけ前記信号混合手段に入力させる混合制御手段と、
を備えることを特徴とする通話用端末装置。
【請求項３】
前記混合制御手段は、最初の呼出音信号を前記信号混合手段に入力させた後、予め定める所定の休止時間を設けて前記呼出音信号を前記基準時間だけ繰り返し前記信号混合手段に入力させる、請求項１または２に記載の通話用端末装置。
【請求項４】
請求項１または請求項２に記載の通話用端末装置において、
前記信号混合手段に代えて、前記電話回線を通じて送られ、前記内部通話装置に伝送される音声信号を前記呼出音信号に切り換える信号切換手段と、
前記混合制御手段に代えて、前記判別手段により前記内部通話装置が通話中であると判別されているときに、前記外部通話装置から呼出信号が入力されると、前記呼出音信号を呼出音を１回報知するための予め定められた基準時間だけ前記内部通話装置に伝送させるように前記信号切換手段を切り換える切換制御手段と、
を備えたことを特徴とする通話用端末装置。
【請求項５】
前記切換制御手段は、最初の呼出音信号を前記内部通話装置に伝送させるように前記信号切換手段を切り換えた後、予め定める所定の時間だけ前記電話回線を通じて送られた音声信号を前記内部通話装置に伝送させる動作と前記基準時間だけ前記呼出音信号を前記内部通話装置に伝送させる動作が交互に繰り返されるように前記信号切換手段を切り換える、請求項４に記載の通信用端末装置。
【請求項６】
前記内部通話装置は、前記電話回線を通じて送られた音声信号を無線通信により送受される電話機子機によって構成される、請求項１〜５のいずれかに記載の通信用端末装置。
【発明の詳細な説明】
【０００１】
【発明の属する技術分野】
本発明は、たとえばドアホンと接続されかつ電話機子機を有する電話機親機としての通信用端末装置に関する。
【０００２】
【従来の技術】
従来より、公衆電話回線に接続された電話機には、携帯可能なコードレス電話機としての子機が付属されたものがある。また、玄関先に設置されたドアホンと接続され、ドアホンを通じて来訪者とハンドセットまたは子機を用いて通話可能とされる電話機も提案されている。
【０００３】
このような電話機においては、たとえば玄関先に訪れた来訪者がドアホンに設けられた呼出スイッチを押圧すると、ドアホンから呼出信号が送られて、それを受け取ることにより呼出音を報知させる。ここで、住宅内にいる者（以下、「在宅者」という。）がたとえば公衆電話回線を通じて子機を用いて通話を行っている場合には、上記呼出信号を受け取った電話機（親機）は、子機に対して呼出音を報知させるためのコマンド信号を送信する。子機では、このコマンド信号を親機から受信した場合、内部に設けられている呼出音発生部から呼出音信号を出力させる。これにより、在宅者は、通話が行われている場合であっても、呼出音によって、来訪者が訪れたことを認識することができる。
【０００４】
【発明が解決しようとする課題】
ところが、在宅者は、子機を用いて通話中であるため、親機から呼出音を報知させるためのコマンド信号が入力されると、コマンド信号がノイズになって、通話中の音声が途切れたり聞き取れにくくなったりするといった問題点があった。
【０００５】
本発明は、上記の点に鑑みて提案されたものであって、子機を用いて通話が行われている場合、ドアホンから呼出信号が送られたときでも、通話に支障を来すことのない通信用端末装置を提供することを目的とする。
【０００６】
【課題を解決するための手段】
上記目的を達成するために、請求項１に記載した発明の通信用端末装置は、電話回線に接続されているとともに、呼出し機能を備える外部通話装置および前記電話回線を通じて音声信号を送受することにより通話を行う内部通話装置がそれぞれ接続された通話用端末装置であって、前記外部通話装置から呼出操作に基づく呼出信号が入力されると、呼出音信号を発生させる呼出音発生手段と、前記呼出音発生手段により発生された呼出音信号と、前記内部通話装置に伝送される音声信号とを混合する信号混合手段と、前記内部通話装置が通話中である否かを判別する判別手段と、前記判別手段により前記内部通話装置が通話中であると判別されているときに、前記外部通話装置から呼出信号が入力されると、前記呼出音発生手段によって発生された呼出音信号を呼出音を１回報知するための予め定められた基準時間だけ前記信号混合手段に入力させる混合制御手段とを備えることを特徴としている。
【０００７】
このような通話用端末装置によれば、内部通話装置（たとえば子機）を用いて回線を通じて通話が行われている場合、外部通話装置（たとえばドアホン）から呼出信号が送られたとき、呼出信号に基づいて発生される呼出音信号と通話信号とが混合され、それが子機に向けて送られる。そのため、子機では、コマンド信号によるノイズ等が混入されることなく、通話の音声とともに呼出音を良好に聞きとることができる。また、最初の呼出音が報知された後は、呼出音が何度も継続して報知されることがない。したがって、子機を用いて通話が行われている場合、ドアホンから呼出信号が送られたときでも、通話に支障を来すことのない通信用端末装置を提供することができる。
【０００８】
また、請求項２に記載した発明の通話用端末装置は、電話回線に接続されているとともに、ユーザの呼出操作に基づき呼出信号を発生する呼出し機能を備える外部通話装置および前記電話回線を通じて音声信号を送受することにより通話を行う内部通話装置がそれぞれ接続された通話用端末装置であって、前記外部通話装置から送られた呼出音信号と、前記内部通話装置に伝送される音声信号とを混合する信号混合手段と、前記内部通話装置が通話中である否かを判別する判別手段と、前記判別手段により前記内部通話装置が通話中であると判別されているときに、前記外部通話装置から呼出音信号が送られると、その呼出音信号を呼出音を１回報知するための予め定められた基準時間だけ前記信号混合手段に入力させる混合制御手段とを備えることを特徴としている。
【０００９】
このような通話用端末装置によれば、請求項１に記載の通話用端末装置と同様の作用効果を奏する。請求項１に記載の通話用端末装置との違いは、呼出音信号を発生させるための呼出音発生手段が外部通話装置に設けられている点にある。
【００１０】
また、請求項３に記載した発明の通話用端末装置は、請求項１または２に記載の通話用端末装置において、前記混合制御手段は、前記基準時間だけ呼出音信号を前記信号混合手段に入力させた後、予め定める所定の休止時間を設けて前記呼出音信号を基準時間だけ繰り返し前記信号混合手段に入力させることを特徴としている。
【００１１】
このような通話用端末装置によれば、請求項１または２に記載の通話用端末装置と同様の作用効果を奏する。
【００１２】
また、請求項４に記載した発明の通話用端末装置は、請求項１または２に記載の通話用端末装置において、前記信号混合手段に代えて、前記電話回線を通じて送られ、前記内部通話装置に伝送される音声信号を前記呼出音信号に切り換える信号切換手段と、前記混合制御手段に代えて、前記判別手段により前記内部通話装置が通話中であると判別されているときに、前記外部通話装置から呼出信号が入力されると、前記呼出音信号を呼出音を１回報知するための予め定められた基準時間だけ前記内部通話装置に伝送させるように前記信号切換手段を切り換える切換制御手段とを備えることを特徴としている。
【００１３】
このような通話用端末装置によれば、請求項１または２に記載の通話用端末装置と同様の作用効果を奏する。
【００１４】
また、請求項５に記載した発明の通話用端末装置は、請求項４に記載の通信用端末装置において、前記切換制御手段は、最初の呼出音信号を前記内部通話装置に伝送させるように前記信号切換手段を切り換えた後、予め定める所定の時間だけ前記電話回線を通じて送られた音声信号を前記内部通話装置に伝送させる動作と前記基準時間だけ前記呼出音信号を前記内部通話装置に伝送させる動作が交互に繰り返されるように前記信号切換手段を切り換えることを特徴としている。
【００１５】
このような通話用端末装置によれば、請求項３に記載の通話用端末装置と同様の作用、効果を奏する。
【００１６】
また、請求項６に記載した発明の通話用端末装置は、請求項１〜５のいずれかに記載の通信用端末装置において、前記内部通話装置は、前記電話回線を通じて送られた音声信号を無線通信により送受される電話機子機によって構成されることを特徴としている。
【００１７】
このような通話用端末装置によれば、請求項１〜５のいずれかに記載の通信用端末装置と同様の作用効果を奏する。
【００１８】
【００１９】
【００２０】
【００２１】
【００２２】
【発明の実施の形態】
以下、本発明の好ましい実施の形態について添付図面を参照して説明する。
【００２３】
図１は、本発明に係る通話用端末装置としてのファクシミリ装置が適用される通話システムの一例を示す概略ブロック構成図である。この通話システムは、住宅の玄関先等に設けられたドアホン１と、ドアホンアダプタ２と、電話機親機としてのファクシミリ装置３（以下、「親機３」という。）と、電話機子機としてのコードレス電話機４（以下、「子機４」という。）とを備えて構成されている。
【００２４】
ドアホン１は、玄関先に訪れた来訪者が住宅内にいる者（以下、「在宅者」という。）を呼び出すとともに通話を行うための装置である。ドアホン１は、来訪者が在宅者を呼び出すための呼出スイッチ１１、来訪者が在宅者と通話を行うためのスピーカ１２およびマイクロフォン１３、並びにこれらを制御するドアホン制御部１４を有している。なお、ドアホン１としては、互いに通話を行う者の様子を表示させるためのテレビ等からなる表示部が設けられていてもよい。
【００２５】
ドアホン制御部１４は、ＣＰＵ、ＲＯＭ、ＲＡＭ等を有するマイクロコンピュータ（いずれも図示略）であって、ドアホン１の全体動作を制御するものである。たとえば、ドアホン制御部１４は、来訪者による呼出スイッチ１１の操作に基づく呼出信号をドアホンアダプタ２に２芯ケーブル１５を通じて与える。また、ドアホン制御部１４は、マイクロフォン１３から入力される音声信号をドアホンアダプタ２に伝達したり、また、ドアホンアダプタ２から伝達される音声信号をスピーカ１２から出力させたりする通信機能をも有する。
【００２６】
ドアホンアダプタ２は、ドアホン１と親機３とのインターフェースとなるものであり、アダプタ制御部２１を備えている。アダプタ制御部２１は、ドアホン１からの呼出信号を受けると、それを制御信号線２２（通常６芯）を通じて親機３に送るとともに、親機３から送られる通話許可信号に基づいて、ドアホン１における通話が有効となるようにする。
【００２７】
また、ドアホンアダプタ２は、公衆電話回線Ｌに接続されており、公衆電話回線Ｌは、ドアホンアダプタ２をそのまま通過して親機３に接続されている。
【００２８】
親機３は、図示されていないが、たとえばインクジェット方式の印刷機能、画像読取機能（スキャナ機能）、および画像の通信機能等の各機能を複合的に備えたものである。親機３は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、この親機３は、たとえばパーソナルコンピュータに接続された状態で独立した形で印刷装置やスキャナとして利用することもできる。また、印刷機能と画像読取機能とを連動させることで、コピー機として利用することもできる。
【００２９】
親機３は、この装置の全体動作を司る制御部３１と、ＮＣＵ３２と、呼出音（チャイム）を発生するための呼出音発生部３３と、ドアホン１の通話信号と公衆電話回線Ｌの通話信号とを切り替えるための切替部３４と、子機４との通信を行うための無線通信部３５とを備えている。
【００３０】
制御部３１は、ＣＰＵ、ＲＡＭ、ＲＯＭ、ＮＶＲＡＭ（不揮発性ＲＡＭ：Non-Volatile RAM）等を有するマイクロコンピュータからなり、マイクロコンピュータには、図示しないが、各部とのインターフェースとして機能するゲートアレイ、ファクシミリデータを読み取るための読取部、文字や図形等の画像を印刷するための記録部、ユーザのキー操作による入力信号を制御部３１に伝えるための操作部、および動作状態や操作ガイダンス等を表示するための表示部等が接続されている。
【００３１】
制御部３１は、ＲＯＭに記憶された動作プログラムや各部からの操作信号等に基づいて、各部に対して適当な制御信号を送る。たとえばドアホンアダプタ２からの呼出信号が「ＤＰＩＮ」端子３１ｂを介して入力されると、ドアホンアダプタ２に対して通話許可信号を「ＤＰＯＮ」端子３１ａを介して出力する。また、ドアホンアダプタ２から呼出信号が入力されることに基づいて、呼出音発生部３３に出力信号を送り、呼出音を発生させたり、必要に応じて切替部３４に切替指令信号を送ったりする。
【００３２】
呼出音発生部３３は、制御部３１からの制御信号に基づいて、呼出音を呼出音信号として発生させるとともに、後述する混合器に対してそれを出力する。
【００３３】
ＮＣＵ３２は、ドアホンアダプタ２を介して公衆電話回線Ｌに接続されることにより網制御を行う。この網制御により、相手先との間でやり取りされる音声信号やファクシミリ信号を受信あるいは送信することができる。
【００３４】
切替部３４は、主に、公衆電話回線Ｌを通じて送受信される通話音声信号と、ドアホン１において送受信される通話音声信号とを切り替えるものであり、切替スイッチ３６，３７と、混合器３８とを備えている。切替スイッチ３６，３７は、制御部３１からの切替指令信号により公衆電話回線Ｌによる通話音声信号と、ドアホン１による通話音声信号とを切り替える。混合器３８は、呼出音発生部３３から出力された呼出音信号と、主に公衆電話回線Ｌから送られる音声通話信号とを混合するものである。
【００３５】
無線通信部３５は、子機４と通話音声信号または各種のコマンド信号をやり取りするためのものであり、無線通信部３５には、アンテナ３９が接続されている。
【００３６】
なお、図示していないが、親機３には、通話可能なハンドセットや呼出音を外部に出力するためのスピーカが設けられている。
【００３７】
子機４は、図示していないが、ＣＰＵ、ＲＯＭ、ＲＡＭ、ＮＶＲＡＭ等を有するマイクロコンピュータを備え、このマイクロコンピュータは、複数の操作キーからなる操作部４１、通話可能とするスピーカ部４２およびマイクロフォン部４３、および図示しない無線通信部に接続されている。なお、子機としては、親機３と接続可能であれば、たとえば携帯電話やＰＨＳが代用されてもよい。
【００３８】
マイクロコンピュータは、子機４の全体動作を制御するものであり、たとえば操作部４１からのキー操作に基づいて、あるいは公衆電話回線Ｌを介して着信した際に、スピーカ部４２およびマイクロフォン部４３によって通話が可能なように制御する。無線通信部は、図示しないアンテナ等を備え、電波により親機３との間で音声信号や各種の情報をやり取りする。
【００３９】
ここで、本実施形態の特徴は、呼出音発生部３３によって発生された呼出音としての音声信号が公衆電話回線Ｌから送られる通話音声信号と混合され、子機４に送られる点にある。このように、呼出音信号と通話音声信号とが混合されることにより、子機４では、通話が行われている場合であっても、コマンド信号によるノイズ等がなく、通話音声信号とともに呼出音を良好に報知させることができる。
【００４０】
上記特徴の具体的な形態として、この通話システムの制御動作を、図２に示すフローチャートを参照して説明する。
【００４１】
まず、親機３の制御部３１は、在宅者が公衆電話回線Ｌを介して子機４を用いて相手先と通話中であるか否かを判別する（Ｓ１）。この判別は、たとえば、ＮＣＵ３２および無線通信部３５からの制御信号に基づいて判断される。通話中である場合（Ｓ１：ＹＥＳ）、制御部３１は、呼出信号が入力されたか否かを判別する（Ｓ２）。
【００４２】
たとえば、玄関先に来訪者が訪れ、ドアホン１の呼出スイッチ１１を押圧した場合、ドアホン制御部１４は、呼出信号をドアホンアダプタ２に送る。呼出信号は、ドアホンアダプタ２を介して親機３の制御部３１の「ＤＰＩＮ」端子３１ｂに入力される。
【００４３】
制御部３１は、呼出信号が入力されたと判別した場合（Ｓ２：ＹＥＳ）、呼出音発生部３３に出力信号を送り（Ｓ３）、呼出音としての呼出音信号を発生させ、かつ混合器３８に向けて出力させる（Ｓ４）。呼出信号が入力されない場合は、ステップＳ１に戻る（Ｓ２：ＮＯ）。
【００４４】
これにより、呼出音信号は、混合器３８において公衆電話回線Ｌを通じて送られる音声通話信号と混合される。混合された音声信号は、無線通信部３５に送られ、その後、アンテナ３９を介して子機４に送られる。そして、子機４では、呼出音が重畳された音声信号がスピーカ４２から出力される。そのため、従来の構成では、子機４に対してコマンド信号が送られることにより、コマンド信号がノイズになって通話に影響を及ぼしていたが、コマンド信号を送るのでなく、呼出音信号が通話音声信号に重畳された形で子機４に直接的に送られかつ報知されるので、在宅者は、呼出音を通話中において良好に聞き取ることができる。
【００４５】
なお、子機４において公衆電話回線Ｌを通じて通話が行われている場合には、切替部３４の切替スイッチ３６，３７は、公衆電話回線Ｌ側に設定されている。また、呼出音信号が通話音声信号と混合される場合、呼出音信号の音量は、通話音声信号のそれに応じて設定されるのが好ましい。具体的には、呼出音信号の音量は、通話音声信号のそれに比べてやや小さめに設定される。呼出音信号の音量が大きすぎると、通話に支障を来すことになるからである。
【００４６】
一方、ステップＳ１において、通話中でない場合（Ｓ１：ＮＯ）、呼出信号が入力されたか否かの判別を行い（Ｓ５）、呼出信号が入力された場合（Ｓ５：ＹＥＳ）、呼出音発生部３３に出力信号を送る（Ｓ３）。ステップＳ５において、呼出信号が入力されない場合（Ｓ５：ＮＯ）、処理を終了する。
【００４７】
このように、子機４を用いて通話が行われている場合、ドアホン１から呼出信号が送られたとき、親機３において通話の音声信号と、呼出信号に基づいて発生される呼出音信号とが混合されて、子機４に向けて送られる。そのため、従来の構成のように、子機４に送られていたコマンド信号によって通話の音声信号にノイズが混入されていたことを、本実施形態において解消することができる。
【００４８】
なお、図１によれば、混合器３８は、切替スイッチ３６の下流側（子機４側）に接続されているため、公衆電話回線Ｌから送られる通話音声信号に呼出音信号を混合させることができるとともに、切替スイッチ３６をドアホン１側にすれば、ドアホン１から送られる通話音声信号に呼出音信号を混合させることができる。
【００４９】
また、子機４によって公衆電話回線Ｌを通じて通話を行っている際、来訪者と通話を行いたい場合には、子機４に備えられた図示しないスイッチにより、公衆電話回線Ｌによる通話を一旦中止して、来訪者と通話が行い得るようになっている。この場合、制御部３１は、切替スイッチ３６，３７をドアホン１側に切り替える。
【００５０】
また、上記実施形態では、呼出音信号と音声通話信号とを混合するために混合器３８が用いられたが、この構成に代えて、図３に示すように、呼出音信号と音声通話信号とを切り替えるための切替スイッチ３４ａが用いられてもよい。この構成により、ドアホン１から呼出信号が入力されたとき、切替スイッチ３４ａは、呼出音発生部３３側に切り替わる。
【００５１】
また、呼出音発生部は、親機３内に設けることに代えて、図４に示すように、呼出音発生部２１ａは、ドアホンアダプタ２内に設けられるようにしてもよい。この場合、ドアホン１から呼出信号が入力されたとき、ドアホンアダプタ２内の呼出音発生部２１ａから親機３に呼出音としての音声信号が出力され、親機３において制御部３１によって制御されるアナログスイッチ３４ｂを介して通話音声信号と混合される。ドアホンアダプタ２で発生される呼出音は、子機４側で擬似的に発生される呼出音より音質がよいので、ノイズの低減に加えて呼出音の質が向上するという効果がある。さらに、切替部３４もドアホンアダプタ２内に設けられるようにしてもよい。
【００５２】
ところで、来訪者は、呼出スイッチ１１を押圧したのにもかかわらず、在宅者からの返事がない場合、再度、呼出スイッチ１１を押圧することがある。一方、在宅者は、公衆電話回線Ｌを通じて通話を行っている場合、呼出音が鳴動しても、たとえば大事な用件を話しているときには、来訪者の呼出に応じられないことがある。しかしながら、来訪者は、返事がないので、呼出スイッチ１１を何度も押圧したり、その押圧状態を保持したりするが、通話中の在宅者にとっては、通話音声信号に重ねられて何度も呼出音が鳴動すると、それが煩わしくなるといった問題点がある。
【００５３】
このような場合には、以下に詳述するように、来訪者によって呼出スイッチ１１が押圧されたとき、その後の所定時間の間において、再度、呼出スイッチ１１が押圧されたり、その押圧状態を保持されたりしても、通話音声信号に呼出音が重ねられて報知されないように制御される。
【００５４】
これにより、通話の音声信号に重ねられて何度も呼出音が報知されることを抑制することができ、それらの呼出音による煩わしさを解消することができる。また、所定時間が経過した後は、再び呼出音が報知されるので、別の来訪者が来訪したときには、その旨を在宅者に支障なく知らせることができる。
【００５５】
これらの具体的な形態として、親機３の制御部３１の動作制御を、図５に示すフローチャートを参照して説明する。
【００５６】
まず、制御部３１は、在宅者が子機４を用いて通話中であるか否かを判別する（Ｓ１１）。通話中である場合（Ｓ１１：ＹＥＳ）、ドアホン１から呼出信号Ｃ１（図６参照）の入力があるか否かが判別され（Ｓ１２）、ドアホン１から呼出信号Ｃ１の入力があると（Ｓ１２：ＹＥＳ）、制御部３１は、呼出音発生部３３に出力信号を送り、最初の呼出音を出力させる。これにより、呼出音は、公衆電話回線Ｌから送られる通話音声信号と混合され、混合された音声信号は、子機４に送られる。子機４では、そのスピーカ４２から通話音声信号とともに呼出音が報知される（Ｓ１３）。これにより、在宅者は、通話を行いながらでも来訪者が来たことを知ることができる。
【００５７】
次に、制御部３１は、図６に示すように、基準期間Ｓ経過後、図示しないタイマをスタートさせる（Ｓ１４，図６のｔ参照）。ここで、基準期間Ｓとは、１回分の呼出音が報知される、休止期間を含めた基準となる期間をいう。次いで、制御部３１は、通話継続中であるか否かを判別し（Ｓ１５）、通話継続中である場合（Ｓ１５：ＹＥＳ）、ドアホン１から呼出信号Ｃ２の入力があるか否かが判別される（Ｓ１６）。ここで、呼出信号Ｃ２の入力がある場合（Ｓ１６：ＹＥＳ）、処理は、ステップＳ１５の判別処理に戻る。すなわち、呼出信号Ｃ２が入力されても、制御部３１は、呼出音発生部３３に出力信号を出力せず次の呼出音を報知させないようにする。
【００５８】
ステップＳ１６において、ドアホン１から呼出信号の入力がない場合（Ｓ１６：ＮＯ）、制御部３１は、所定時間Ｔ（たとえば１０秒）経過したか否かの判別を行い（Ｓ１７）、所定時間Ｔ経過していない場合（Ｓ１７：ＮＯ）、ステップＳ１５の判別処理に戻る。また、所定時間Ｔ経過した場合（Ｓ１７：ＹＥＳ）、ステップＳ１１の通話中であるか否かの判別処理に戻る。
【００５９】
また、ステップＳ１５において、通話が継続中でない場合（Ｓ１５：ＮＯ）、タイマをリセットさせ（Ｓ１８）、公衆電話回線Ｌを開放させる（Ｓ１９）。
【００６０】
このように、来訪者によって呼出スイッチ１１が押圧されて呼出信号Ｃ１が入力され、最初の呼出音が報知された後、所定時間Ｔ経過するまでに、再び、呼出スイッチ１１が押圧されて次の呼出信号Ｃ２が入力されたとき、この呼出信号Ｃ２による呼出音は、削除して報知させないようにする。したがって、在宅者は、通話中に呼出音が報知され、来訪者の来訪を知った後においても、来訪者が再度、呼出スイッチ１１を押しても、所定時間Ｔ内は、それによる呼出音は報知されないため、在宅者は、継続して報知される呼出音に煩わされることなく、安心して通話を継続することができる。
【００６１】
また、所定時間Ｔ経過後は、呼出スイッチ１１が押圧されれば、その呼出信号Ｃ３による呼出音が公衆電話回線Ｌからの通話音声信号と混合されて子機４に送られる。そのため、たとえば別の来訪者が訪れたときには、在宅者にその旨を確実に知らせることができる。
【００６２】
また、上記制御において、来訪者によってドアホン１の呼出スイッチ１１が押し続けられた場合、図７に示すように、親機３において呼出音が基準期間ごとに継続して報知されることになるが、子機４からは最初の呼出音が報知された後は、所定時間Ｔ経過後も呼出音は発生されないようにする。
【００６３】
なお、上述したこれらの制御は、たとえば親機３から呼出音を鳴動させるためにコマンド信号で子機４に送る構成の親機３においても適用可能である。
【００６４】
また、本発明は、上記実施形態に限定されるものではない。たとえば、ドアホン１の数は、上記実施形態で示した１つに限るものではない。また、子機４の数も、上記実施形態で示した１つに限るものではない。また、上記実施形態では、公衆電話回線Ｌが適用されたが、これに代えて、ＩＰ電話等が適用されてもよい。
【００６５】
【発明の効果】
以上説明したように、請求項１に記載した発明の通話用端末装置によれば、内部通話装置（たとえば子機）を用いて回線を通じて通話が行われている場合、外部通話装置（たとえばドアホン）から呼出信号が送られたとき、呼出信号に基づいて発生される呼出音信号と通話信号とが混合されて、それが子機に向けて送られるので、子機では、通話の音声とともに呼出音を良好に聞きとることができる。また、最初の呼出音が報知された後は、呼出音が何度も継続して報知されることがない。したがって、子機によって回線を通じて通話が行われている場合、ドアホンから呼出信号が送られたときでも、通話に支障を来すことのない通信用端末装置を提供することができる。
【００６６】
また、請求項２に記載した発明の通話用端末装置によれば、請求項１に記載の通話用端末装置と同様の作用効果を奏する。請求項１に記載の通話用端末装置との違いは、呼出音信号を発生させるための呼出音発生手段が外部通話装置に設けられている点にある。
【００６７】
さらに、請求項３に記載した発明の通話用端末装置によれば、請求項１または２に記載の通話用端末装置と同様の作用効果を奏する。
【００６８】
さらに、請求項４に記載した発明の通話用端末装置によれば、請求項１または２に記載の通話用端末装置と同様の作用効果を奏する。
【００６９】
また、請求項５に記載した発明の通話用端末装置によれば、請求項３に記載の通話用端末装置と同様の作用効果を奏する。
【００７０】
また、請求項６に記載した発明の通話用端末装置によれば、請求項１〜５のいずれかに記載の通信用端末装置と同様の作用効果を奏する。
【００７１】
【００７２】
【図面の簡単な説明】
【図１】  本発明に係るファクシミリ装置が適用された通話システムの概略ブロック構成図である。
【図２】  通話システムの制御動作を示すフローチャートである。
【図３】  他の通話システムの概略ブロック構成図である。
【図４】  他の通話システムの概略ブロック構成図である。
【図５】  通話システムの他の制御動作を示すフローチャートである。
【図６】  呼出信号および子機の出力の関係を示すタイムチャートである。
【図７】  呼出信号および子機の出力の関係を示すタイムチャートである。
【符号の説明】
１    ドアホン
２    ドアホンアダプタ
３    ファクシミリ装置（親機）
４    コードレス電話機（子機）
１１    呼出スイッチ
３１    制御部（親機の）
３３    呼出音発生部
３４    切替部
３８    混合器
Ｌ    公衆電話回線
【図１】
0003882676.tif 000002
【図２】
0003882676.tif 000003
【図３】
0003882676.tif 000004
【図４】
0003882676.tif 000005
【図５】
0003882676.tif 000006
【図６】
0003882676.tif 000007
【図７】
0003882676.tif 000008